(57)【要約】      （修正有）【課題】帽子本体の外面側が凸となる形状に湾曲させて着用者の頭部に装着可能な状態での形状を安定させた帽子を提供する。【解決手段】１枚のシート素材により形成された帽子本体２と、シート素材を一体に延長することにより形成された庇３とを具備する。帽子１の庇３に、帽子本体２の下縁に沿った第１の折り筋１０を介して帽子本体２に連続し帽子本体２を外面側が凸となる形状に湾曲させた状態でこの帽子本体２に重なり合う基端部分８と、帽子本体２の湾曲形状に対応した曲率を有する第２の折り筋１１を介して基端部分８に連続し基端部分８が帽子本体２に重なり合った状態で第２の折り筋１１に沿って折れ曲がり前方に突出する先端部分９とを備えさせる。【選択図】図４
0003178248.tif 000002
【実用新案登録請求の範囲】
【請求項１】
１枚のシート素材により形成され外面側が凸となる形状に湾曲させた状態で着用者の頭部に装着可能な帽子本体と、前記シート素材を一体に延長することにより形成された庇とを具備してなり、この庇が、前記帽子本体の下縁に沿った第１の折り筋を介して前記帽子本体に連続し前記帽子本体を外面側が凸となる形状に湾曲させた状態でこの帽子本体に重なり合う基端部分と、前記帽子本体の湾曲形状に対応した曲率を有する第２の折り筋を介して前記基端部分に連続し基端部分が前記帽子本体に重なり合った状態で前記第２の折り筋に沿って折れ曲がり前方に突出する先端部分とを備えていることを特徴とする帽子。
【請求項２】
前記庇の基端部分が、その両端部において前記第１の折り筋を介して前記帽子本体と連続しており、その中間部において切除部分を介して前記帽子本体と離間したものである請求項１記載の帽子。
【請求項３】
前記帽子本体が、着用者の頭部に巻き回すための左右対をなす帯を備えたものであり、それらの帯の後端側同士をサイズ調節部を介してサイズ変更可能に係わり合わせたものであって、このサイズ調節部が、間隔をあけて複数設けられたスリットを有する一方の帯の後側部分と、前記一方の帯の複数のスリットに表裏交互に挿し通される他方の帯の後側部分とからなるものである請求項１又は２記載の帽子。
【請求項４】
前記一方の帯の後側部分が、間隔をあけて３箇所以上に設けられたスリットを有したものであり、互いに隣接する前記スリットが、ハの字状に配されている請求項３記載の帽子。
【請求項５】
前記第１の折り筋の両端と前記第２の折り筋の両端とが、互いに離間している請求項１、２、３又は４記載の帽子。
【考案の詳細な説明】
【技術分野】
【０００１】
本考案は、１枚のシート素材により形成した帽子に関する。
【背景技術】
【０００２】
従来より、１枚のシート素材により形成され外面側が凸となる形状に湾曲させた状態で着用者の頭部に装着可能な帽子本体と、前記シート素材を一体に延長することにより形成された庇とを具備してなる帽子が種々考えられてきている（例えば、特許文献１を参照）。従来のこの種の帽子は、帽子本体及び庇の主要部全体が一層のみにより構成されている。そのため、このような帽子の帽子本体を外面側が凸となる形状に湾曲させて着用した状態でも、この帽子本体に外部から力が加わると帽子本体が容易に塑性変形するおそれがある等、帽子としての形状を安定させることが困難である。換言すれば保形性に乏しいという問題点が存在する。
【先行技術文献】
【特許文献】
【０００３】
【特許文献１】特開２００８−２３１６０８号公報
【考案の概要】
【考案が解決しようとする課題】
【０００４】
本考案は以上の点に着目し、１枚のシート素材により形成された帽子本体及び前記シート素材を一体に延長することにより形成された庇とを具備する帽子において、帽子本体を外面側が凸となる形状に湾曲させた着用者の頭部に装着可能な状態での形状を安定させることを目的とする。
【課題を解決するための手段】
【０００５】
このような課題を解決すべく、本考案に掛かる帽子は、以下のような構成を有する。すなわち、１枚のシート素材により形成され外面側が凸となる形状に湾曲させた状態で着用者の頭部に装着可能な帽子本体と、前記シート素材を一体に延長することにより形成された庇とを具備してなり、この庇が、前記帽子本体の下縁に沿った第１の折り筋を介して前記帽子本体に連続し前記帽子本体を外面側が凸となる形状に湾曲させた状態でこの帽子本体に重なり合う基端部分と、前記帽子本体の湾曲形状に対応した曲率を有する第２の折り筋を介して前記基端部分に連続し基端部分が前記帽子本体に重なり合った状態で前記第２の折り筋に沿って折れ曲がり前方に突出する先端部分とを備えている。
【０００６】
このようなものであれば、前記帽子本体を外面側が凸となる形状に湾曲させた状態で前記帽子本体と前記庇の基端部分とが重なり合っているので、従来の帽子と比較して前記帽子本体を外面側が凸となる形状に湾曲させた状態における剛性を高めることができる。さらに、前記第２の折り筋が帽子本体の湾曲形状に対応した曲率を有しているので、前記庇の基端部分が前記帽子本体に重なり合った状態では前記庇の先端部分における第２の折り筋が帽子本体の前面に沿ってほぼ密着することになる。そのため、前記帽子本体と前記庇とが相互に保形し合うことになり、帽子全体としての保形性が高まる。すなわち、庇の特に第２の折り筋付近の部位が帽子本体の湾曲に沿った補強リブとして機能する。よって、このような帽子の帽子本体に外部から力が加えられた場合であっても、帽子本体や庇が変形しにくく、帽子本体を外面側が凸となる形状に湾曲させた状態での保形性が確保される。ここで、本考案の「シート素材」とは、紙や合成樹脂等をシート状に形成したもの全般を含む概念である。また、本考案の「帽子」は、外面側が凸となる形状に湾曲させた状態で前記頭部に装着可能な帽子本体と前記シート素材を一体に延長することにより形成された庇とを具備するものであれば何でもよく、例えば、帽子本体が帯状であるサンバイザや、帽子本体が着用者の頭部を上方から覆うことが可能なクラウンであるキャップ等が含まれる。
【０００７】
このような帽子を着用すべく前記帽子本体及び前記庇の基端部分を外面側が凸となる形状に湾曲させる作業をしやすくするための好ましい形状として、前記庇の基端部分が、その両端部において前記第１の折り筋を介して前記帽子本体と連続しており、その中間部において切除部分を介して前記帽子本体と離間したものが挙げられる。
【０００８】
前記帽子本体が、着用者の頭部に巻き回すための左右対をなす帯を備えたものであり、それらの帯の後端側同士をサイズ調節部を介してサイズ変更可能に係わり合わせた帽子において、激しい動きを行った際に帽子が抜け落ちる不具合や風により帽子がずれる不具合の発生を防止又は抑制するための望ましい前記サイズ調節部の構成として、間隔をあけて複数設けられたスリットを有する一方の帯の後側部分と、前記一方の帯の複数のスリットに表裏交互に挿し通される他方の帯の後側部分とからなるものが挙げられる。
【０００９】
このような効果をさらに好適に得ることができる前記サイズ調節部の構成として、前記一方の帯の後側部分が、間隔をあけて３箇所以上に設けられたスリットを有したものであり、互いに隣接する前記スリットが、ハの字状に配されているものが挙げられる。
【００１０】
このような帽子の庇の先端部分の両端近傍が破損する不具合の発生を抑制するための好適な形状として、前記第１の折り筋の両端と前記第２の折り筋の両端とが、互いに離間しているものが挙げられる。
【考案の効果】
【００１１】
本考案によれば、１枚のシート素材により形成された帽子本体及び前記シート素材を一体に延長することにより形成された庇とを具備する帽子において、帽子本体を外面側が凸となる形状に湾曲させた着用者の頭部に装着可能な状態での形状を安定させることができる。
【図面の簡単な説明】
【００１２】
【図１】本考案の一実施形態に係る帽子を示す正面側斜視図。
【図２】同実施形態に係る帽子を示す背面側斜視図。
【図３】同実施形態に係る帽子の後部を破断した状態を示す平面図。
【図４】図３におけるＩＶ−ＩＶ断面図。
【図５】同実施形態に係る帽子を形成するシート素材を示す展開図。
【図６】同実施形態に係る帽子の組み立て手順を示す説明図。
【図７】同実施形態に係る帽子の組み立て手順を示す説明図。
【図８】同実施形態に係る帽子の組み立て手順を示す説明図。
【図９】同実施形態に係る帽子の組み立て手順を示す説明図。
【図１０】同実施形態に係る帽子の組み立て手順を示す説明図。
【考案を実施するための形態】
【００１３】
以下、本考案の一実施形態について図１〜図１０を参照しつつ説明する。
【００１４】
本実施形態の帽子１は、図１〜図３に示すように、１枚の紙製のシート素材Ｓにより形成され外面側が凸となる形状、換言すれば着用者の頭部Ｈに沿う形状に湾曲させた状態で前記頭部Ｈに装着可能な帽子本体２と、前記シート素材Ｓを一体に延長することにより形成された庇３とを具備する。
【００１５】
前記帽子本体２は、図５に展開図として示すように、１枚の紙製のシート素材Ｓを打ち抜いて形成されるもので、額当て部４と、この額当て部４の左右両端からそれぞれ外方に延びる左側の帯５及び右側の帯６とを備えてなる。そして、前記左側の帯５と前記右側の帯６とを、図１〜図３に示すように、サイズ調節部７を介して係わり合わせることにより環状となるように構成されている。なお、本明細書における「左側」及び「右側」とは、それぞれ着用者から見た左側及び右側を意味している。
【００１６】
前記額当て部４は、図１及び図３に示すように、着用者の頭部Ｈに沿う形状に湾曲させて前記頭部Ｈに装着した状態において着用者の額を覆う形状をなしている。この額当て部４の上縁４ａは、上方に膨出する円弧状をなしている。この額当て部４の下縁４ｂは、帽子本体２の下縁を形成している。この額当て部４の下縁４ｂの両側端部は前記頭部Ｈに装着した状態においてほぼ水平をなすように直線状をなしている。一方、この額当て部４の下縁４ｂの中間部は上方に膨出する円弧状をなしている。図５に展開図として示すように、この額当て部４の上縁４ａの曲率と、下縁４ｂの中間部の曲率とは同一に設定されている。そして、前述したように、この額当て部４の左右両端からは、左側の帯５及び右側の帯６がそれぞれ外方に延びている。
【００１７】
前記左側の帯５は、図２及び図３に示すように、前記額当て部４と連続し全体が同一の幅寸法を有する前側部分５ａと、この前側部分５ａよりも幅寸法が大きい後側部分５ｂとを備えている。この後側部分５ｂには、間隔をあけて４箇所に第１〜第４のスリット５ｂ１〜５ｂ４が設けられており、これらの第１〜第４のスリット５ｂ１〜５ｂ４には前記右側の帯６の後側部分６ｂが表裏交互に挿し通されるようにしている。以下、この左側の帯５の後側部分５ｂ後端側に位置するスリットを第１のスリット５ｂ１、次いで、後端側に位置するスリットから順に第２のスリット５ｂ２、第３のスリット５ｂ３及び第４のスリット５ｂ４とそれぞれ称する。互いに隣接する前記第１〜第４のスリット５ｂ１〜５ｂ４は、図２及び図５に示すように、ハの字状となるように配されている。換言すれば、第１のスリット５ｂ１及び第３のスリット５ｂ３は後下方に向かう傾斜を有するとともに、第２のスリット５ｂ２及び第４のスリット５ｂ４は後上方に向かう傾斜を有する。この左側の帯５の幅方向に対する第１のスリット５ｂ１の傾斜角度は、第２〜第４のスリット５ｂ２〜５ｂ４の傾斜角度よりも小さな角度に設定している。また、この左側の帯５の後側部分５ｂの長手方向寸法及び右側の帯６の後側部分６ｂの長手方向寸法は、子供から大人まで幅広い頭囲に対応できるように設定している。
【００１８】
前記右側の帯６は、図２及び図３に示すように、前記額当て部４と連続し全体が同一の幅寸法を有する前側部分６ａと、この前側部分６ａよりも幅寸法が小さい後側部分６ｂとを備えている。この右側の帯６の後側部分６ｂと、前記左側の帯５の後側部分５ｂとにより前記サイズ調節部７を構成している。すなわち、この右側の帯６の後側部分６ｂが前記左側の帯５の後側部分５ｂの第１〜第４のスリット５ｂ１〜５ｂ４に表裏交互に順次挿し通されることにより、この右側の帯６の後側部分６ｂと前記左側の帯５の後側部分５ｂとが互いにサイズ変更可能に係わり合うようにしている。そして、これら右側の帯６の後側部分６ｂと前記左側の帯５の後側部分５ｂとを互いにサイズ変更可能に係わり合わせ、前記帽子本体２を前記頭部Ｈに沿う形状に湾曲させた状態で、この帽子本体２の額当て部４の下部に前記庇３の基端部分８が重なり合い、少なくとも部分的に面的に接触するようにしている。
【００１９】
前記庇３は、図１、図３及び図４に示すように、前記帽子本体２の下縁４ｂに沿った第１の折り筋１０を介して前記帽子本体２に連続し前記帽子本体２を前記頭部Ｈに沿う形状に湾曲させた状態でこの帽子本体２に重なり合う基端部分８と、前記帽子本体２の湾曲形状に対応した曲率を有する第２の折り筋１１を介して前記基端部分８に連続し基端部分８が前記帽子本体２に重なり合った状態で前記第２の折り筋１１に沿って折れ曲がり前方に突出する先端部分９とを備えている。
【００２０】
前記基端部分８は、図１及び図４に示すように、その両端部においては前記第１の折り筋１０を介して前記帽子本体２と連続している。前記帽子本体２を着用者の頭部Ｈに沿う形状に湾曲させた状態で前記第１の折り筋１０はほぼ水平をなすように直線状をなしている。また、第１の折り筋１０は、この庇３及び前記帽子本体２を構成する紙製のシート素材Ｓの紙目に沿う方向に設けている。一方、この基端部分８は、中間部においては切除部分１２を介して前記帽子本体２と離間している。詳述すると、この基端部分８の中間部における切除部分１２側の縁８ａは、前記帽子本体２を着用者の頭部Ｈに沿う形状に湾曲させた状態で全域にわたって帽子本体２の額当て部４の下縁４ｂと合致するような円弧状をなしている。換言すれば、この切除部分１２は、シート素材Ｓを展開した状態では図５に示すようにレンズ状をなしている。そして、この基端部分８は、図４に示すように、前記帽子本体２を着用者の頭部Ｈに沿う形状に湾曲させた状態で帽子本体２に重なり合い、少なくとも部分的に面的に接触するようになっている。さらに、この基端部分８は、第２の折り筋１１を介して前記先端部分９と連続している。
【００２１】
前記先端部分９は、実質的に庇３機能を発揮する部位であり、その機能に見合った形状、例えば従来のこの種のサンバイザの庇の形状に準じた形状をなしている。この先端部分９は、図１及び図４に示すように、全域に亘って前記第２の折り筋１１を介して前記基端部分８に連続している。前記第２の折り筋１１は、この庇３及び前記帽子本体２を構成する紙製のシート素材Ｓの紙目に沿う方向に設けている。また、この先端部分９は、図１、図３及び図４に示すように、前記帽子本体２を着用者の頭部Ｈに沿う形状に湾曲させた状態、換言すれば前記基端部分８が前記帽子本体２に重なり合った状態で前記第２の折り筋１１に沿って折れ曲がり前方に突出し庇としての機能を発揮するようになっている。前記第２の折り筋１１の曲率は、帽子本体２の湾曲形状に対応している。すなわち、この第２の折り筋１１の曲率は、前記帽子本体２の曲率に近似した値に設定されており、この実施形態においては、この第２の折り筋１１の曲率は、前記帽子本体２の曲率よりも若干大きい値に設定されている。第２の折り筋１１の曲率を帽子本体２の曲率よりも若干大きい値に設定している理由は、前記帽子本体２を着用者の頭部Ｈに沿う形状に湾曲させた際に、この庇３の先端部分９が上方に突出するアーチ状となり、この庇３の先端部分９の形状を安定させることができるからである。そして、この庇３の先端部分９とこの庇３の基端部分８との境界の左右両端、すなわち前記第２の折り筋１１の両端１１ａは、前記第１の折り筋１０の両端１０ａと離間する位置に設定されている。
【００２２】
ここで、この帽子１を組み立てる際の手順を、図５〜図１０を参照しつつ説明する。
【００２３】
まず、図５に示すように、初期段階においては、帽子本体２と庇３とがシート素材Ｓから打ち抜いた平板状をなしている。この初期状態においては、前記帽子本体２の下縁、より厳密には額当て部４の下縁４ｂに直線状をなす第１の折り筋１０を介して庇３の基端部分８が連続させてあり、この基端部分８の前記帽子本体２と反対側の端縁８ｂに円弧状をなす第２の折り筋１１を介して先端部分９が連続させてある。この初期状態から、図６に示すように、第２の折り筋１１に山折り方向の折癖をつけておく。次いで、図７に示すように前記第１の折り筋１０を谷折り方向に折り曲げ、庇３を上方に起こし、図８に示すように庇３を完全に前記帽子本体２に密着させた状態とする。その状態から、図９に示すように帽子本体２を着用者の頭部Ｈに沿わせるべく湾曲させると、前記第２の折り筋１１に沿って庇３の先端部分９が折り曲げられて前方に突出する。そして、帽子本体２をさらに湾曲させて着用者の頭部Ｈに沿う形状とし、右側の帯６の後側部分６ｂを左側の帯５の後側部分５ｂの各第１〜第４のスリット５ｂ１〜５ｂ４に表裏交互に挿し通すと、図１０に示すような着用時の状態となる。右側の帯６の後側部分６ｂを前記各第１〜第４のスリット５ｂ１〜５ｂ４への挿し通し量を調整することにより、帽子本体２を拡径又は縮径させることができ、最適な着用状態に調整することができる。
【００２４】
以上に述べたように、本実施形態の構成によれば、前記帽子本体２を外面側が凸となる形状、換言すれば着用者の頭部Ｈに沿う形状に湾曲させた状態で前記帽子本体２と前記庇３の基端部分８とが重なり合い、少なくとも部分的に面的に接触する。そのため、前記帽子本体２を前記頭部Ｈに沿う形状に湾曲させた状態で、このような帽子１の帽子本体２に外部から加えられる力に対する剛性が従来のものと比較して大幅に向上し、帽子本体２の変形が抑制される。さらに、前記第２の折り筋１１が帽子本体２の湾曲形状に対応した曲率、より具体的には帽子本体２の曲率よりも若干大きい曲率を有しているので、前記帽子本体２を前記頭部Ｈに沿う形状に湾曲させた状態では庇３の先端部分９における第２の折り筋１１が帽子本体２の前面に沿ってほぼ密着することになる。そのため、前記帽子本体２と前記庇３とが相互に保形し合うことになり、帽子１全体としての保形性が高まる。すなわち、庇３の特に第２の折り筋１１付近の部位が帽子本体２の湾曲に沿った補強リブとして機能する。よって、このような帽子１の帽子本体２に外部から力が加えられた場合であっても、帽子本体２や庇３が変形しにくくなり、帽子本体２を前記頭部Ｈに沿う形状に湾曲させた状態での保形性を確保すること、換言すれば帽子１の形状を安定させることができる。
【００２５】
また、本実施形態では、前記庇３の基端部分８が、その両端部において前記第１の折り筋１０を介して前記帽子本体２と連続しており、その中間部において切除部分１２を介して前記帽子本体２と離間している。そのため、このような帽子１を着用すべく前記帽子本体２及び前記庇３の基端部分８を頭部Ｈに沿う形状に湾曲させる際に、前記切除部分１２が帽子本体２の変形しろとして機能するので、帽子本体２の下縁４ｂに無理な圧縮力が作用することによりしわが寄る不具合の発生を抑制できる。従って、切除部分１２を設けない態様と比較して、前記帽子本体２及び前記庇３の基端部分８を頭部Ｈに沿う形状に湾曲させる作業がしやすくなる。
【００２６】
さらに、本実施形態では、前記サイズ調節部７は、間隔をあけて複数設けられた第１〜第４のスリット５ｂ１〜５ｂ４を有する左側の帯５の後側部分５ｂと、前記左側の帯５の第１〜第４のスリット５ｂ１〜５ｂ４に表裏交互に挿し通される右側の帯６の後側部分６ｂとからなっている。そのため、左側の帯５の後側部分５ｂの第１のスリット５ｂ１と第２のスリット５ｂ２との間の部位、及び第３のスリット５ｂ３と第４のスリット５ｂ４との間の部位が、この後側部分５ｂのその他の部位との間で右側の帯６の後側部分６ｂを挟み込むこととなる。従って、右側の帯６の後側部分６ｂが進退する際に大きな摩擦力が作用する。このことから、これら左側の帯５の後側部分５ｂと右側の帯６の後側部分６ｂとの間のズレ止めを確実に行うことができ、従って激しい動きを行った際に帽子１が抜け落ちる不具合や風により帽子１がずれる不具合の発生を防止又は抑制することができる。
【００２７】
加えて、本実施形態では、互いに隣接するスリット５ｂ１〜５ｂ４がハの字状に配されているので、ハの字の上部に当たる部分が特に大きな摩擦力を与えることとなる。このことにより、激しい動きを行った際に帽子１が抜け落ちる不具合や風により帽子１がずれる不具合の発生をさらに効果的に防止又は抑制することができる。
【００２８】
そして、本実施形態では、前記第１の折り筋１０の両端１０ａと前記第２の折り筋１１の両端１１ａとが互いに離間しているので、庇３の先端部分９が前方に引っ張られた場合は、庇３の先端部分９と基端部分８との境界である第２の折り筋１１の端１１ａが前記第１の折り筋１０を中心として前方に回転移動する。そのため庇３の先端部分９が前方に引っ張られた場合において庇３の先端部分９と基端部分８との境界に応力が集中することがなく、このような帽子１の庇３の先端部分９の両端近傍が破損する不具合の発生を抑制することができる。
【００２９】
また、本実施形態では、前記第１の折り筋１０及び前記第２の折り筋１１が、この庇３及び前記帽子本体２を構成する紙製のシート素材Ｓの紙目に沿う方向に設けられているので、これら第１の折り筋１０及び第２の折り筋１１に沿ってシート素材Ｓを折り曲げて庇３を形成する際に、庇３に余分な力が作用せず破損しにくいとともに、折り曲げ作業をスムーズに行うことができる。
【００３０】
なお、本考案は以上に述べた実施形態に限らない。
【００３１】
例えば、上述した実施形態では、帽子本体が、額当て部と該額当て部の左右両端からそれぞれ外方に延びる左側の帯及び右側の帯とを備えているサンバイザについて説明しているが、帽子本体が着用者の頭部を上方から覆うことが可能なクラウンであるキャップに本考案を適用してももちろんよい。
【００３２】
また、上述した実施形態では、４箇所にスリットを有する左側の帯の後側部分と、これらスリットに表裏交互に挿し通される右側の帯の後側部分とにより帽子本体のサイズ調整部を形成しているが、左右が逆のものであってももちろんよい。また、スリットの数や配置も任意に設定してよい。加えて、上縁部から長手方向と垂直に伸びる複数箇所の切込みを備えた一方の帯の後側部分と、下縁部から長手方向と垂直に伸び前記一方の帯の切込みのいずれかと係り合う切込みを備えた他方の帯の後側部分とにより帽子本体のサイズ調整部を形成する態様等も考えられる。
【００３３】
さらに、第１の折り筋の両端と第２の折り筋の両端とを互いに離間させて応力の集中を避ける代わりに、これら第１の折り筋の両端と第２の折り筋の両端とを一致させて庇の先端部分の後端近傍に幅方向に伸びる切込みを設ける等、他の構成により庇の先端部分と基端部分との境界への応力の集中を避けるようにしてもよい。
【００３４】
そして、切除部分を介して庇の基端部分の中間部を前記帽子本体と離間させる代わりに、庇の基端部分の中間部と帽子本体とに跨り上下方向に伸びる切込みを複数設ける等、他の構成により、前記帽子本体及び前記庇の基端部分を外面側が凸となる形状に湾曲させる際の帽子本体の変形しろを確保するようにしてもよい。
【００３５】
その他、本考案の趣旨を損ねない範囲で種々に変形してよい。
【符号の説明】
【００３６】
１…帽子
２…帽子本体
３…庇
４…額当て部
５…（左側の）帯
５ｂ…（左側の）帯の後側部分
５ｂ１〜５ｂ４…（第１〜第４の）スリット
６…（右側の）帯
６ｂ…（右側の）帯の後側部分
７…サイズ調節部
８…庇の基端部分
９…庇の先端部分
１０…第１の折り筋
１１…第２の折り筋
１２…切除部分
Ｓ…シート素材
【図１】
0003178248.tif 000003
【図２】
0003178248.tif 000004
【図３】
0003178248.tif 000005
【図４】
0003178248.tif 000006
【図５】
0003178248.tif 000007
【図６】
0003178248.tif 000008
【図７】
0003178248.tif 000009
【図８】
0003178248.tif 000010
【図９】
0003178248.tif 000011
【図１０】
0003178248.tif 000012